(57)【要約】  本発明は、競売進行のための競売サーバと参加者の有無線端末機を基盤とするリアルタイム競売方法を提供する。本方法は、競売に参加しようとする参加者の有無線端末機に、競売に関する情報が表示された競売画面を提供する競売画面提示ステップと、前記参加者が入札価を提示した場合、前記競売画面に前記提示された入札価を順位に従って表示する順位表示ステップと、入札時間の終了時、最高入札価格が予め定めておいた入札希望価格より低いか、或いは最高入札価格と次の順位の入札価格との価格差が予め定めておいた価格差より小さい場合、前記入札時間を延長し、最高入札価格提示者と次の順位入札価格提示者のみが入札に参加できるようにする再入札ステップと、最終入札時間の終了時、落札価格と落札者を表示する落札ステップとを含む。
2005516287.tif 000002
【特許請求の範囲】
【請求項１】
競売進行のための競売サーバと、競売に参加する参加者の有無線端末機を基盤とする競売方法であって、
競売に参加しようとする参加者の有無線端末機に、競売に関する情報が表示された競売画面を提供する競売画面提示ステップと、
前記参加者が入札価格を提示した場合、前記競売画面に前記入札価格を順位に従って表示する順位表示ステップと、
入札時間の終了時、最高入札価格が予め定めておいた入札希望価格より低いか、或いは最高入札価格と次の順位の入札価格との価格差が予め定めておいた価格差より小さい場合には、前記入札時間を延長し、最高入札価提示者と次の順位の入札価提示者のみが入札に参加できるようにする再入札ステップと、
最終入札時間の終了時、落札価格と落札者を表示する落札ステップと
を含むことを特徴とする入札順位をリアルタイムで表示するリアルタイム競売方法。
【請求項２】
前記競売画面提示ステップは、それぞれ異なる価格を指示する複数の価格ボタンを前記競売画面に提示し、前記参加者は、前記価格ボタンの選択によって入札価格を入力することを特徴とする請求項１記載の入札順位をリアルタイムで表示するリアルタイム競売方法。
【請求項３】
前記競売画面提示ステップは、前記各参加者間のチャットのためのチャット窓と、前記競売物品の動画像及び広告を表示するための広告窓とを含む競売画面を提示するステップであることを特徴とする請求項１または２記載の入札順位をリアルタイムで表示するリアルタイム競売方法。
【請求項４】
前記競売参加時、前記参加者に所定の競売参加費の入金を要請するステップと、前記参加費を入金した場合に競売参加を許諾する入場ステップとをさらに含むことを特徴とする請求項３記載の入札順位をリアルタイムで表示するリアルタイム競売方法。
【請求項５】
前記落札ステップで落札した落札者が、予め積み立てられたポイントで前記落札価格の少なくとも一部を支払うことを可能にすることを特徴とする請求項４記載の入札順位をリアルタイムで表示するリアルタイム競売方法。
【請求項６】
競売物品、競売日付、競売開始価格、入札希望価格、競売物品の動画像の少なくとも一つを含む競売情報を地上波放送を介して提供するステップと、
競売に参加しようとする参加者の有無線端末機に、競売に関する情報が表示された競売画面を提供する競売画面提示ステップと、
前記参加者が入札価格を提示した場合、前記競売画面に前記提示された入札価格を順位に従って表示する順位表示ステップと、
入札時間の終了時、最高入札価格が予め定めておいた入札希望価格より低いか、或いは最高入札価と次の順位の入札価との価格差が予め定めておいた価格差より小さい場合、前記入札時間を延長し、最高入札価格提示者と次の順位の入札価格提示者のみが入札に参加できるようにする再入札ステップと、
最終入札時間の終了時、落札価格と落札者を表示する落札ステップと
を含むことを特徴とする入札順位をリアルタイムで表示するリアルタイム競売方法。
【請求項７】
前記順位表示ステップ、前記再入札ステップ、前記落札ステップに関する情報の中の少なくとも一つが前記地上波放送を介して表示されることを特徴とする請求項６記載の入札順位をリアルタイムで表示するリアルタイム競売方法。
【請求項８】
前記競売画面提示ステップにおける競売の開始前と、前記再入札ステップにおける再入札の開始前に、前記競売物品の動画像または広告を表示するための広告窓が表示されることを特徴とする請求項６または７記載の入札順位をリアルタイムで表示するリアルタイム競売方法。
【請求項９】
競売物品、競売日付、競売開始価格、入札希望価格、競売物品の動画像の少なくとも一つを含む競売情報を地上波放送を介して提供するステップと、
前記競売参加者が入札する場合、入札価格の順位を地上波放送、インターネット画面、有無線端末機の少なくとも一つによって提供するか、或いはＡＲＳを用いて音声で提供する順位表示ステップと、
最終入札時間の終了時、落札価格と落札者を地上波放送、インターネット画面、有無線端末機の少なくとも一つによって提供し、或いはＡＲＳを用いて音声で提供する落札ステップと
を含むことを特徴とする入札順位をリアルタイムで表示するリアルタイム競売方法。
【請求項１０】
前記入札時間の終了時、最高入札価格が予め定めておいた入札希望価格より低いか、或いは最高入札価格と次の順位の入札価格との価格差が予め定めておいた価格差より小さい場合、前記入札時間を延長し、最高入札価格提示者と次の順位の入札価格提示者のみが入札に参加できるようにする再入札ステップをさらに含む請求項９記載の入札順位をリアルタイムで表示するリアルタイム競売方法。
【請求項１１】
前記競売物品に対する、その時のインターネットショッピングモールまたはオフラインで販売される販売価格を地上波放送、インターネットサイト、有無線端末機の少なくとも一つによって提供するか、或いはＡＲＳを用いて音声で提供する比較価格表示ステップをさらに含むことを特徴とする請求項９または１０記載の入札順位をリアルタイムで表示するリアルタイム競売方法。
【発明の詳細な説明】
【技術分野】
【０００１】
本発明は、地上波放送を用いて競売を公表することにより、競売参加者を増加させ且つ競売を円滑に行うことが可能なリアルタイム競売方法に関する。また、本発明は、競売画面をグラフィックで処理し、入札順位をリアルタイムで表示すると同時に、広告やチャットなど付加的なサービスを提供することにより、競売参加者に興味を持たせて継続的な競売参加を促進するようにする、入札順位をリアルタイムで表示するリアルタイム競売方法に関する。
【背景技術】
【０００２】
従来、通常の競売、逆競売、ネットワーク競売、リアルタイム競売（韓国特許出願公開公報第２０００−２３９３２号）など様々な競売方法が提示されている。
【０００３】
このような競売方法によれば、競売参加時に主にテキストなどの文字と一部ボタンを用いるようにすることにより、競売への参加が煩わしく、コンピュータに馴れていない人は、競売に参加したくても参加することが難しい。また、コンピュータキーボードを用いたテキスト中心の競売方法に馴れている新世代であっても、テキスト中心の競売方式が退屈であって、継続的に競売サイトにアクセスせず入札時にのみ暫くアクセスする。このため、前記の競売方法では、継続的に利用されない。
【０００４】
また、入札に参加すると、競売が行われている間、随時競売サイトにアクセスして入札状況を把握しなければならず、競売の進行自体は、入札者の入札状況のみが変わるばかりで、視聴覚的に入札者の注意を引くことができない。よって、サイトへのアクセス時に退屈さを感じさせる。
【０００５】
一方、このような競売方法は、特定の物品を競売で買おうとする人々が直接所望の物を見出さなければならない。現在、インターネットで提供されているプッシュ技術、すなわちメールなどによって広告を行うか、個々に適した情報を提供するなどの方式が用いられている。したがって、このようなインターネット上の情報提供方法に逆行していると判断される。その上、競売に参加しようとする場合には競売サイトに接続して競売内容を一々検索しなければならないので、煩わしいだけでなく、ユーザ中心のサービスが行われないので、ユーザの便宜性が要求される。
【０００６】
このような理由により、競売サイトの会員であっても、買おうとする物品がなければ、競売サイトにアクセスしなくなるので、会員の継続的なアクセスを促進することができないという欠点がある。
【発明の開示】
【０００７】
従って、本発明は、かかる問題点を解決するためのもので、その目的は、入札者の入札情報と入札順位をリアルタイムで提供することが可能なリアルタイム競売方法を提供することにある。
【０００８】
本発明の他の目的は、競売情報と競売参加道具をグラフィックス形式で表示するので、容易かつ便利に誰でも参加することができるうえ、ネチズンに興味を起こさせかつ退屈させないようにしてネチズンの継続的な参加を促進することにより、競売会社の収益を増大させることが可能なリアルタイム競売方法を提供することにある。
【０００９】
本発明のさらに他の目的は、地上波放送を用いてプッシュ技術の競売情報を提供することにより、ネチズンの参加を誘導し、競売内容の提供をリアルタイムで受けることを可能にするリアルタイム競売方法を提供することにある。
【００１０】
上記目的は、競売進行のための競売サーバと、競売に参加する参加者の有線や無線端末機とを基盤とする競売方法であって、競売に参加しようとする参加者の有線や無線端末機に、競売に関する情報が表示された競売画面を提供する競売画面提示ステップと、前記参加者が入札価格を提示した場合、前記競売画面に前記提示された入札価格を順位に従って表示する順位表示ステップと、入札時間の終了時、最高入札価格が予め定めておいた入札希望価格より低いか、或いは最高入札価格と次の順位の入札価格との価格差が予め定めておいた価格差より少ない場合、前記入札時間を延長し、最高入札価格提示者と次の順位の入札価格提示者のみが入札に参加できるようにする再入札ステップと、最終入札時間の終了時、落札価格と落札者を表示する落札ステップとを含む、入札順位をリアルタイムで表示するリアルタイム競売方法によって達成できる。
【００１１】
前記競売画面提示ステップでは、それぞれ異なる価格を指示する複数の価格ボタンを前記競売画面を介して提示し、前記参加者は、前記価格ボタンの選択によって入札価格を入力することができる。
【００１２】
前記競売画面提示ステップは、前記各参加者間のチャットのためのチャット窓と、前記競売物品の動画像及び広告を表示するための広告窓とを含む競売画面を提示するステップであることが好ましい。
【００１３】
前記競売参加の際、前記参加者に所定の競売参加費の入金を要請するステップと、前記参加費を入金した場合に競売への参加を許諾する入場ステップをさらに含むことができる。
【００１４】
前記落札ステップで落札した落札者が、予め積み立てられたポイントで前記落札価格の少なくとも一部を支払うことを可能にすることが好ましい。
【００１５】
また、上記目的は、競売物品、競売日付、競売開始価格、入札希望価格、競売物品の動画像の少なくとも一つを含む競売情報を地上波放送を介して提供する段階と、競売に参加しようとする参加者の有線や無線端末機に、競売に関する情報が表示された競売画面を提供する競売画面提示ステップと、前記参加者が入札価格を提示した場合、前記競売画面に前記入札価格を順位に従って表示する順位表示ステップと、入札時間の終了時、最高入札価格が予め定めておいた入札希望価格より低いか、或いは最高入札価格と次の順位の入札価格との価格差が予め定めておいた価格差より少ない場合に前記入札時間を延長し、最高入札価格提示者と次の順位の入札価格提示者のみが入札に参加できるようにする再入札ステップと、最終入札時間の終了時、落札価格と落札者を表示する落札ステップとを含む、入札順位をリアルタイムで表示するリアルタイム競売方法によっても達成できる。
【００１６】
前記順位表示ステップ、前記入札ステップ、前記落札ステップに関する情報の少なくとも一つが前記地上波放送を介して表示されることが好ましい。
【００１７】
前記競売画面提示ステップにおける競売の開始前と、前記再入札ステップにおける再入札の開始前に、前記競売物品の動画像または広告を表示するための広告窓が表示できる。
【００１８】
また、上記目的は、競売物品、競売日付、競売開始価格、入札希望価格、競売物品の動画像の少なくとも一つを含む競売情報を地上波放送を介して提供するステップと、前記競売参加者が入札する場合、入札価格の順位を地上波放送、インターネット画面、有線や無線端末機の少なくとも一つによって提供するか、或いはＡＲＳを用いて音声で提供する順位表示ステップと、最終入札時間の終了時、落札価格と落札者を地上波放送、インターネット画面、有線や無線端末機の少なくとも一つによって提供するか、或いはＡＲＳを用いて音声で提供する落札ステップとを含む、入札順位をリアルタイムで表示するリアルタイム競売方法によって達成できる。
【００１９】
前記入札時間の終了時、最高入札価格が予め定めておいた入札希望価格より低いか、或いは最高入札価格と次の順位の入札価格との価格差が予め定めておいた価格差より少ない場合に前記入札時間を延長し、最高入札価格提示者と次の順位の入札価格提示者のみが入札に参加できるようにする再入札ステップをさらに含むことができる。
【００２０】
前記競売物品に対する、現在インターネットショッピングモールまたはオフラインで販売される販売価格を地上波放送、インターネット画面、有線や無線端末機の少なくとも一つによって提供するか、或いはＡＲＳを用いて音声で提供する比較価格表示ステップをさらに含むことができる。
【発明を実施するための最良の様態】
【００２１】
以下、本発明の好適な実施例を添付図面に基づいて詳細に説明する。これらの実施例は例示的な目的に過ぎず、本発明を限定するものではない。
【００２２】
本発明に係る実時間競売システムは、地上波放送を介して競売に関する情報を公衆に提供し、競売の際にユーザ・フレンドリーな環境を提供できるようにしたものである。
【００２３】
この競売システムは、図１に示されているように、競売サイトを運営し、競売進行を担当する競売会社２０と、競売会社２０から競売に関する情報の提供を受けて競売情報を地上波放送を介して公衆に提供する地上波放送局と、競売に参加しようとする参加者の有無線端末機とを基盤として構築される。
【００２４】
地上波放送局とは、一般にＴＶ放送とラジオ放送をいい、本発明では有線放送やケーブル放送など有無線を介して公衆に情報を提供することが可能な全ての媒体を総称する。このような地上波放送局には、別途のサーバを設けて放送に関する情報をインターネットを介して提供しており、競売会社から提供された情報を地上波とインターネットを介して公衆に提供することができる。このため、地上波放送局のサーバ１０には、競売会社２０からの競売情報が格納される競売情報ＤＢ１１が別に設けられる。競売情報ＤＢ１１はデータ形式に応じてＷｅｂＤＢ部１５と地上波ＤＢ部１３に分けられ、ＷｅｂＤＢ部１５には地上波放送局で管理するＷｅｂページへ提供できるデータ形式の競売情報が格納され、地上波ＤＢ部１３には地上波放送を介して提供できるデータ形式の競売情報が格納される。
【００２５】
地上波放送局では、このように競売会社２０から提供されてそれぞれ競売情報ＤＢ１１に格納された競売情報を地上波放送を介して公衆に提供する。この際、地上波放送局では、ＴＶやラジオ６０などの地上波以外の地上波放送局で運営するか或いは関連のあるＷｅｂサイト上に競売情報を表示し、Ｗｅｂサイトに接続するネチズンに競売情報を提供する。このように地上波放送を介して提供される競売情報には、競売物品の動画像、競売開始日、競売終了日、競売開始価格、落札希望価格、その他競売物品に関する意見など競売の参加を誘導することが可能な様々な内容が含まれる。
【００２６】
このような地上波放送局へ競売情報を提供する競売会社２０は、競売サイトを運営するためのＷｅｂサーバ２１と、競売に関する各種情報を格納しているＤＢサーバ３５と、競売を運営し、Ｗｅｂサーバ２１とＤＢサーバ３５間の情報入出力管理を担当する競売サーバ２５とを含む。
【００２７】
Ｗｅｂサーバ２１は、有線端末機５０、無線端末機５５及び地上波放送局のホームページへＷｅｂデータ形式の競売情報を提供するための伝送モジュール２３を含み、ＤＢサーバ３５と競売サーバ２５を介して提供される各種情報をサイト上に表示する。すなわち、Ｗｅｂサーバ２１は、ＤＢサーバ３５から取り出されて競売サーバ２５によって提供された情報を適切なＷｅｂページ、例えば入札のための入札画面、入札者の順位を表示する入札順位窓、物品に関する動画像または一般広告が表示される広告窓、チャット窓などに表示し、この際、情報がＷｅｂページ上の適切な位置に適正サイズで表示されるように調節する。
【００２８】
このように地上波放送とＷｅｂサイトを介して提供される競売情報を始めとした各種情報が格納されるＤＢサーバ３５は、会員として加入したネチズンに対する個人情報と競売に参加した履歴などを管理する会員ＤＢ３７と、競売物品に関する情報が格納された競売ＤＢ３９とを含む。競売ＤＢ３９は、Ｗｅｂサイトへ提供される競売情報が格納されたＷｅｂ競売情報ＤＢ部４１と、地上波放送局へ提供される競売情報が格納された放送競売情報ＤＢ部４３とを含む。
【００２９】
ここで、会員ＤＢ３７に格納される個人情報は、氏名、ＩＤ、パスワード、住所、住民登録番号、アクセス回数、積立ポイントなどを含み、競売履歴情報は、競売に参加した回数、競売で買おうとした物品、落札有無、入札取消有無、競売参加による信用度など競売参加時に発生した全般的な情報を含む。
【００３０】
また、競売ＤＢ３９には、競売物品、競売時間、開始価格、希望落札価格、競売方式、競売ルールなど競売情報が格納され、競売情報は、Ｗｅｂサイト上に表示できるデータ形式と地上波放送によって伝送できるデータ形式にされ、それぞれＷｅｂ競売情報ＤＢ部４１と放送競売情報ＤＢ部４３に格納される。このような競売ＤＢ３９には、競売の進行中に発生する入札内訳、落札有無、再入札有無、入札者情報なども上に記載のデータ形式で格納される。
【００３１】
このようなＤＢサーバ３５とＷｅｂサーバ２１を管理するための競売サーバ２５は、ＤＢサーバ３５とＷｅｂサーバ２１への情報入出力を制御するための中央演算処理装置３０と、入出力された情報を外部へ伝送するための伝送モジュール２９と、ＤＢサーバ３５内に格納された情報を管理するためのＤＢ管理モジュール３３と、Ｗｅｂサーバ２１内に格納された情報を入出力するためのＷｅｂ管理モジュール２７とを含む。また、競売サーバ２５は、入札参加費や落札価格、手数料、会員ポイント計算、ポイント換算など決済に関連する演算を行い、その結果を会員ＤＢ３７と競売ＤＢ３９に格納する決済モジュール３１をさらに含む。
【００３２】
一方、中央演算処理装置３０では、ユーザが予め設定した希望落札価格、最終落札価格と次点落札価格との差である落札差、競売進行により発生した落札価格及び次点落札価格を比較し、最終落札価格が希望落札価格より低い場合、または落札差が予め設定した落札差より小さい場合には、競売時間を延長し或いは競売をさらに行えるようにする。この際、最終落札価格が希望落札価格より低い場合には、競売時間を延長することが好ましく、落札差が予め設定した落札差より小さい場合には、落札予定者と次の順位入札者のみが競売に参加するようにして、競売をさらに行う。
【００３３】
一方、ＤＢ管理モジュール３３は、会員ＤＢ３７と競売ＤＢ３９を管理し、ＤＢ管理モジュール３３及び各モジュールは、中央演算処理装置３０からの命令に従ってＤＢサーバ３５の各ＤＢへ情報を入出力する。このように各ＤＢから取り出された情報のうち競売情報、この中でも地上波放送で表示可能な地上波放送データ形式の競売情報は、伝送モジュール２９によって地上波放送局へ提供される。このような地上波放送データ形式の競売情報は、競売サーバ２５の伝送モジュールではなくＷｅｂサーバ２１の伝送モジュール２３を用いてＷｅｂデータ形式の競売情報と共に地上波放送局へ伝送できる。
【００３４】
このような競売システムを用いて競売を行うためには、地上波放送とインターネットを用いて競売情報を提供することにより、公表が行われるべきである。
【００３５】
公表が行われるためには、まず、競売会社２０において、それぞれＷｅｂサイトで表示可能なＷｅｂデータ形式で製作された競売情報と、地上波放送で表示可能な地上波放送データ形式で製作された競売情報をそれぞれ競売ＤＢ３９に格納することが先行されるべきである。
【００３６】
競売情報が形成されると、図２に示されているように、競売サーバ２５の中央演算処理装置３０では、公表のために選択された物品に対し、それぞれＷｅｂデータ形式と地上波放送データ形式で競売ＤＢ３９に格納された競売情報を取り出す（Ｐ１０）。このように抽出された競売情報は、それぞれＷｅｂサーバ２１と競売サーバ２５の伝送モジュール２３、２９へ提供され（Ｐ２０）、Ｗｅｂサーバ２１の伝送モジュール２３と競売サーバ２５の伝送モジュール２９では、それぞれ地上波放送局のサーバにＷｅｂデータ形式の競売情報と地上波放送データ形式の競売情報をそれぞれ伝送する（Ｐ３０）。伝送された競売情報の中でも、地上波放送データ形式は、それぞれ地上波放送であるＴＶ、ラジオ６０、ケーブルなどを介して伝送され、Ｗｅｂデータ形式の競売情報は、地上波放送局のＷｅｂサイトで表示される（Ｐ４０）。
【００３７】
このように地上波放送局を介して公衆に競売情報が公表されると、多くの人々が競売について関心を持つことになり、競売物品を買おうとする計画があった者の場合には、競売に参加する確率が大きくなる。これにより、競売情報を地上波放送を介して提供することにより、競売に参加する参加者が多くなり、競売の進行が円滑になる。
【００３８】
このような公表の後の競売過程が行われる前、競売に参加しようとする人々は、まず、会員として登録しなければならず、既存会員の場合には、図３に示されているように、会員はＩＤとパスワードを入力して競売サーバ２５にログインする（Ｓ２０）。この際、競売に参加するために小額の参加費を支払うようにするか、無料で参加するようにすることもできる（Ｓ２２）。Ｗｅｂサーバ２１は、ログインした会員の有線端末機５０と無線端末機５５へ、図４及び図５に示されているような競売画面１００を提供し、会員が競売に参加できるようにする（Ｓ２４）。
【００３９】
図４に示されている有線端末機５０用競売画面１００には、ベッティングを選択するためのベッティングボタン１２５と、入札予定価格が表示される予定価格表示窓１２０と、ベッティング時に入札価格を調節するための複数の価格ボタン１３０とが設けられており、入札者のＩＤ、入札価格及び順位が表示された順位表示窓１４０が設けられている。また、競売画面１００には、自分のＩＤと入札価格が表示された会員窓１１０と、商品情報を確認することが可能な商品情報アイコン１１７と、競売情報を確認することが可能な競売情報アイコン１１５と、競売の参加を終了するための退場アイコン１１３とが設けられている。
【００４０】
これにより、競売に参加した会員が入札に参加する場合、まず、価格ボタン１３０を用いて入札価格を調節し、予定価格表示窓１２０に所望の入札価格が表示されると、ベッティングボタン１２５を押してベッティングを選択する（Ｓ２６）。このような競売画面１００には、競売が行われるスタジオの形で飾り、複数のテーブル１０５と、入札者のうちオーダー順に位置する複数の入札者をキャラクタ化したアバターを順次表示することにより、競売過程をより生き生きと表わして参加者の興味を持続させうるようにする。
【００４１】
一方、競売画面１００には、広告窓１５０が設けられており、広告窓１５０を介して競売物品に関する画像情報または競売物品に関する放送画面などが提供される。また、広告窓１５０には、競売の開始前に競売に参加するために予め待機している参加者を対象とした動画像広告が表示され、一側にはチャット窓１１５が設けられて参加者間のチャットを可能にする。これにより、予め待機している参加者を退屈させないことができるうえ、効率的に広告を行うことができる。
【００４２】
このように入札者が入札に参加する間、入札者の順位が順位表示窓１４０に表示されるので（Ｓ２８）、入札者は、容易に自分の入札価格と他人の入札価格を分析して新しい入札価格を提示することができる。
【００４３】
図４の競売画面１００には、入札者の順位が表示されている。例えば、入札者ｆｕｎｓｐｏｒｔｓが１３００韓国ウォンで入札して第１順位、入札者ｄｉｔｏｐが１２００韓国ウォンで入札して第２順位、入札者ｓｈｉｒｅが１１００韓国ウォンで入札して第３順位であると表示されている。このように競売が行われる間、入札者ｓｗａｌｌｏｗ６が１５００韓国ウォンで入札すると第１順位になり、これにより、図５にはｓｗａｌｌｏｗ６が第１順位にランキングされていることが分かる。
【００４４】
一方、無線端末機５５を用いる場合、図６に示されているように無線インターネットに接続すると、図６ａのように、競売メニューが表示され、競売メニューを選択すると、図６ｂのように、競売情報が表示される競売物品紹介画面が表示される。競売に参加しようとする場合、参加ボタンを選択すると、図６ｃのように、現在の入札内訳が表示される競売画面が表示される。競売画面には、入札者の順位と金額が表示された順位表示窓２４０と、入札価格を選択するための複数の価格ボタン２５５と、価格の選択によって表示される現在入札価格２５０と、以前入札したことがある場合には、以前の入札価格である自分の入札価格２６０が表示される。無線端末機５５のボタンを用いて価格を選択して所望の入札価格が表示されると、入札者はベッティングボタン２６５を選択してベッティングを完了する。
【００４５】
一方、予め定められた入札時間に応じて入札時間が終了すると（Ｓ３０）、最高入札価格が予定落札価格として確定される。この際、決済モジュール３１では、予定落札価格が予め定めておいた希望落札価格と同一或いはより大きいかを判断し（Ｓ３２）、判断結果、予定落札価格が希望落札価格より低い場合には、競売時間を延長する（Ｓ４０）。予定落札価格が希望落札価格と同一或いはより大きい場合には、決済モジュール３１では、最高入札価格と次の順位の入札価格との落札差を計算する（Ｓ３４）。この際、落札差が予め設定された落札差より大きい場合には落札を確定し（Ｓ３６）、落札差が予め設定された落札差より小さい場合には競売時間を延長する（Ｓ４０）。
【００４６】
このように競売時間を延長すると、競売が終了し、再入札が始まるまで時間を延ばし、このような遅延時間には、競売開始前と同様に、広告窓１５０を介して動画像の広告を提供することができる。勿論、競売開始前、再入札開始前以外の残り時間にも動画像の広告を提供することができる。
【００４７】
一方、競売時間の延長時、競売に参加することが可能な者を制限しないこともでき、落札予定者と次点入札者などに制限することもできる。このように競売が延長され再競売時間が終了すると、最高入札価格で落札する（Ｓ４２）。落札されると、落札者は本競売サイトの使用によって発生した積立ポイントで落札価格の全部または一部を決済することができる（Ｓ３８）。積立ポイントがなければ、現金やクレジットカード、デビットカードなど通常の決済方法で決済することができる。
【００４８】
一方、上述した実施例では、再競売が１回に止まったが、再競売は２回または３回などその回数を増やすこともでき、希望落札価より最高入札価が低い場合には入札流れとなるようにすることもできる。
【００４９】
このように、本競売方法によれば、地上波放送を用いて競売情報を公衆に提供することにより、競売参加を誘導して、競売に参加する入札者の数を増加させるとともに、競売を迅速に行うことができる。したがって、競売を活性化させることができるうえ、公衆に競売情報をプッシュ技術を用いて提供することにより、競売参加者の便宜を図ることができる。しかも、競売画面１００をグラフィックで形成することにより、競売参加者の興味を高め、継続的な競売参加を促すことができる。また、競売画面１００に設けられた広告窓１５０を介して残り時間に動画像の広告をディスプレイすることにより、広告効果を高めるとともに参加者を退屈させないようにすることができる。
【００５０】
一方、予定落札価格と次点落札価格間の落札差が一定以下の場合には、競売を延長するようにすることにより、競売時間の不足により入札できなかったり、落札を逃した次点入札者にもう一度機会を与えることができる。これにより、入札者は自分の所望する競売物品を購買することが可能な機会を得、販売者はさらに高い落札価格で物品を販売することができるので、落札者と販売者の双方ともを満足させることができる。
【００５１】
以上、実施例によって本発明を説明したが、本発明はこれらの実施例に制限されるものではない。
【００５２】
入札順位は、地上波放送、インターネット画面、有無線端末機の少なくとも一つによって提供できるか、或いはＡＲＳ（Automatic Response System）を用いて音声で提供できる。すなわち、地上波放送を介して競売情報を提供しながら一定の間隔で入札順位を提供し、或いはネットワークに連結されたインターネット画面に地上波放送と同一の内容をリアルタイムで中継しながら入札順位をインターネット画面中の一部に提供することもできる。または、双方向通信が可能な有無線端末機、例えば無線インターネット電話を用いて、入札順位を含んだ競売情報を提供することもできる。また、有無線端末機、例えば電話機を用いて、競売情報がリアルタイムでアップデートされるＡＲＳに連結し、入札順位を含む競売情報の提供を受けることもできる。
【００５３】
また、前記競売物品に対する、現在インターネットショッピングモールまたはオフラインで販売される販売価格が、地上波放送、インターネット画面、有無線端末機の少なくとも一つによって提供できるか、或いはＡＲＳを用いて音声で提供できる。例えば、現在競売中の競売物品の比較価格をインターネット上の比較価格サイトと連動させて地上波放送などに提供するので、入札価格と現在販売価との比較情報を提供することもできる。勿論、別途の比較価格サイトを構築して比較情報を提供することもできる。
【００５４】
本発明は、当業者であれば、様々な変形と改良が可能である。したがって、前記の実施例は本発明の一例に過ぎず、これに制限されない。
【産業上の利用可能性】
【００５５】
本発明の構成によって、地上波放送を用いて競売を公表することにより、競売参加者を増加させ且つ競売を円滑に行うことができる。また、競売画面をグラフィックで処理し、入札順位をリアルタイムで表示すると同時に、広告とチャットなど付加的なサービスを提供することにより、競売参加者に興味を持たせて継続的な競売参加を促進することができる。
【図面の簡単な説明】
【００５６】
【図１】本発明に係るリアルタイム競売方法を実現するための競売システムの構成図である。
【図２】図１の競売システムを用いた競売過程に先行される広報過程を示す流れ図である。
【図３】図１の競売システムを用いた競売過程を示す流れ図である。
【図４】有線端末機を介して提供される競売画面図である。
【図５】有線端末機を介して提供される競売画面図である。
【図６】（ａ）〜（ｃ）は無線端末機を介して提供される競売画面図であ
【図１】
2005516287.tif 000003
【図２】
2005516287.tif 000004
【図３】
2005516287.tif 000005
【図４】
2005516287.tif 000006
【図５】
2005516287.tif 000007
【図６ａ】
2005516287.tif 000008
【図６ｂ】
2005516287.tif 000009
【図６ｃ】
2005516287.tif 000010
【国際調査報告】
2005516287.tif 000011